(57)【要約】【課題】基板に設けたハーネスの挿通孔から針金などを進入させないようにして、制御基板や電源装置などに不正行為が行われるのを防止でき、また照明基板上のプリント配線に実装された照明ランプと基板ケースまで到達させた電源とをハーネスなしで接続することで、挿通孔を設けたり、ハーネスを接続するために要する時間を低減する。【解決手段】導電性の締付ねじ（１５）が、取付ベース（ＵＰＢ）の前面側から取付ベース（ＵＰＢ）とケース本体（１１）と照明基板（３１）の挿通孔（２１ａ、１１ａ、３１）に挿通されて、制御基板（１３）の雌ねじ（１３ａ）と螺合、緊結され、ケース本体（１１）が制御基板（１３）と共に取付ベース（ＵＰＢ）に取り付けられている。【選択図】図３
2007267885.tif 000002
【特許請求の範囲】
【請求項１】
電子部品を実装した制御基板が収納され、少なくとも２つの締付ねじによって遊技機の取付ベースに取り付けられるケース本体と、該ケース本体に取り付けられるケースカバーと、前記ケース本体と前記取付ベースの前面での照明基板上のプリント配線に実装された照明ランプとを備える遊技機の基板ケースとその周辺構造であって、前記取付ベースとケース本体と照明基板とは同じ位置に締付ねじの挿通孔が設けられ、前記制御基板は前記取付ベースとケース本体と照明基板の各挿通孔と同じ位置に雌ねじが一体的に設けられ、前記締付ねじが、前記取付ベースの遊技機の前面側から前記取付ベースとケース本体と照明基板の挿通孔に挿通されて、前記制御基板の雌ねじと螺合、緊結され、前記ケース本体が前記制御基板と共に取付ベースに取り付けられていることを特徴とする遊技機の基板ケースとその周辺構造。
【請求項２】
前記締付ねじが導電性の材料からなることを特徴とする請求項１に記載の遊技機の基板ケースとその周辺構造。
【請求項３】
前記遊技機がスロットマシンであり、前記取付ベースが、上部パネルベースであることを特徴とする請求項１に記載の遊技機の基板ケースとその周辺構造。
【発明の詳細な説明】
【技術分野】
【０００１】
本発明は、スロットマシンやパチンコ機などに用いて好適な、遊技機の基板ケースとその周辺構造に関する。
【背景技術】
【０００２】
スロットマシンやパチンコ機などの遊技機の筐体内には、遊技機の作動を制御する制御基板が設けられている。例えば、スロットマシンでは、その本体筐体内に、ＣＰＵ、ＲＯＭ、ＲＡＭなどの電子部品が実装された主制御基板が取り付けられ、主制御基板により、賞球やメダルの払出、電動役物の開閉、リールの回転、図柄組み合わせの発生確率などを制御している。また、本体筐体に開閉可能に取り付けられる前面パネル筐体内には、主制御基板からの信号を受ける電子部品が実装された副制御基板が取り付けられ、この副制御基板により、演出用スピーカ、演出用ランプなどの演出表示装置を制御している。主制御基板や副制御基板は、ケース本体に取り付けられ、このケース本体に取り付けられるケースカバーを含む基板ケース内に収納されている。そして、電子部品が実装された制御基板を収納している基板ケースは、締付ねじで遊技機の取付ベースに取り付けられた後、さらに締付ねじが「かしめ」られている。また、ＣＰＵ、ＲＯＭ、ＲＡＭなどの制御基板上の電子部品が、改造電子部品に差し替えられるような不正行為を防止するため、またケースカバーが不正に開かれないように、さらにケースカバーが不正に開かれた場合にはその痕跡が残るように、特殊ねじや封印シールで封印されている。
【０００３】
スロットマシンなどの遊技機には、通常、取付ベースのうちの前面パネルにデザインを施したデザインパネルが取り付けられ、このデザインパネルの裏面には、照明基板上に蛍光灯やＬＥＤなどの各種の照明ランプが、遊技者に見えるように設けられている。しかし、近年、前面パネルの隙間から針金などを進入して、基板ケース内の制御基板や基板ケース外の電源装置などに不正行為が行われるという問題が発生している。そこで、このような不正行為を防止しようとして、特許文献１には、デザインパネルが取り付けられる取付ベースの係止孔を塞ぐことで、針金などの進入を規制する提案がされている。
【０００４】
【特許文献１】特開２００５−２９６４０６号公報
【発明の開示】
【発明が解決しようとする課題】
【０００５】
上述のように、照明基板上には蛍光灯やＬＥＤなどの各種の照明ランプが設けられているが、さらに照明基板には照明ランプの近傍に電源供給手段と照明ランプとを接続するハーネスの挿通孔も設けられている。ところが、近年、デザインパネルを巧妙に外し、照明基板に設けたハーネスの挿通孔から針金などを進入させ、基板ケース内のＣＰＵ、ＲＯＭ、ＲＡＭなどの制御基板や、基板ケース外の電源装置などに不正行為が行われるという問題が発生している。しかし、特許文献１に提案される技術ではこれを解決することが困難であった。このような不正行為が行なわれると、不正に賞球やメダルの払い出しがされ、遊技店は多くの損失を被ることになる。
【０００６】
一方、照明基板上のプリント配線に実装された照明ランプと、基板ケースまで到達させた電源とは、ハーネスを介して接続する必要があるので、上述のようにハーネスの挿通孔を設けたり、また組み立てのために多くの時間を要していた。
【０００７】
本発明は上記課題に鑑みてなされたものであり、遊技に関する電子部品が実装された基板が収納され、少なくとも２つの締付ねじによって遊技機の取付ベースに取り付けられるケース本体と、このケース本体に取り付けられるケースカバーと、ケース本体と取付ベースの前面での照明基板上のプリント配線に実装された照明ランプとを備える、遊技機の基板ケースとその周辺構造であって、ハーネスの挿通孔から針金などを進入させないようにして、制御基板や電源装置などに不正行為が行われるのを防止でき、また照明基板上のプリント配線に実装された照明ランプと基板ケースまで到達させた電源とをハーネスなしで接続することで、挿通孔を設けたり、ハーネスを接続するために要する時間を低減することを目的とする。
【課題を解決するための手段】
【０００８】
本発明者らは、上記課題について鋭意研究した。その結果、上記構成の遊技機の基板ケースとその周辺構造において、取付ベースとケース本体と照明基板とは同じ位置に締付ねじの挿通孔が設けられ、制御基板は取付ベースとケース本体と照明基板の各挿通孔と同じ位置に雌ねじが一体的に設けられ、締付ねじが、取付ベースの遊技機の前面側から取付ベースとケース本体と照明基板の挿通孔に挿通されて、制御基板の雌ねじと螺合、緊結され、ケース本体が制御基板と共に取付ベースに取り付けられていることで、上記課題が解決できるとの知見を得、本発明に想到した。
【０００９】
すなわち本発明は、遊技に関する電子部品を実装した制御基板が収納され、少なくとも２つの締付ねじによって遊技機の取付ベースに取り付けられるケース本体と、該ケース本体に取り付けられるケースカバーと、前記ケース本体と前記取付ベースの前面での照明基板上のプリント配線に実装された照明ランプとを備える遊技機の基板ケースとその周辺構造であって、前記取付ベースとケース本体と照明基板とは同じ位置に締付ねじの挿通孔が設けられ、前記制御基板は前記取付ベースとケース本体と照明基板の各挿通孔と同じ位置に雌ねじが一体的に設けられ、前記締付ねじが、前記取付ベースの遊技機の前面側から前記取付ベースとケース本体と照明基板の挿通孔に挿通されて、前記制御基板の雌ねじと螺合、緊結され、前記ケース本体が前記制御基板と共に取付ベースに取り付けられていることを特徴とする。
【００１０】
本発明において、締付ねじが導電性の材料からなることが好ましい。また、本発明において、前記遊技機がスロットマシンであり、前記取付ベースが、電気絶縁性を有する上部パネルベースであることが好ましい。
【発明の効果】
【００１１】
本発明によれば、ハーネスの挿通孔から針金などを進入させないようにして、制御基板や電源装置などに不正行為が行われるのを防止でき、また、照明基板上のプリント配線に実装された照明ランプと基板ケースまで到達させた電源とをハーネスなしで接続することで、挿通孔を設けたり、ハーネス接続のための時間を低減できる。
【発明を実施するための最良の形態】
【００１２】
以下、実施の形態の一例について、図１乃至図４に基づき詳細に説明する。
【００１３】
図１は、実施の形態の一例のスロットマシンＳＭの外部構造を示す斜視図、図２は、図１のスロットマシンＳＭの内部構造を示す斜視図である。
【００１４】
図１で、スロットマシンＳＭは、箱形形状の本体筐体ＢＸＲと、遊技者に面し、本体筐体ＢＸＲに開閉可能に取り付けられる前面パネル筐体ＢＸＬとを備えている。前面パネル筐体ＢＸＬは、金属製のフレームに硬質プラスチックなどで成形された前面パネルが取り付けられた強固な構造を有し、この前面パネルは、上部パネル部ＵＰＮと中間パネル部ＭＰＮと下部パネル部ＤＰＮとで構成されている。
【００１５】
上部パネル部ＵＰＮには、演出用ランプＬＰと、スピーカＳＰ１が取り付けられる放音部と、クレジット枚数を表示するＬＥＤと大当たりなどを表示するランプ類が実装された中央表示部ＭＤＰが設けられている。
【００１６】
また、中間パネル部ＭＰＮには、略長方形のリール表示窓ＦＷを持つ透明液晶が実装された液晶表示パネルを備えている。液晶表示パネルは、薄膜トランジスタ層が形成されたガラス板などの透明基板と、これに対向する透明な基板間に液晶が封入され、表示面側に光が透過すると、透過した光が外部から視認され、液晶を駆動していなくてもリール表示窓ＦＷを介して回胴リールＲ１、Ｒ２、Ｒ３が視認できるようになっている。中間パネル部ＭＰＮの下端には操作卓ＴＢが設けられ、この操作卓ＴＢには１ゲーム当たりのメダル数を提示するためのベットボタンＢＥＴと、遊技者が遊技用メダルを投入するためのメダル投入部ＭＤと、１ゲームの開始を指示するためのスタートレバーＳＬと、回転中の回胴リールＲ１、Ｒ２、Ｒ３を個別に停止させるための３個のストップボタンＳＴＰが設けられている。
【００１７】
下部パネル部ＤＰＮには、スロットマシンＳＭのゲーム内容に関連した画像が描かれる表示部ＤＰＬと、遊技者の獲得したメダルを払い出すためのメダル払出口ＭＥＸおよび受皿ＴＵと、スピーカＳＰ２が設けられている。
【００１８】
次に、図２により、スロットマシンＳＭの本体筐体ＢＸＲと前面パネル筐体ＢＸＬの内部構造について説明する。図２で、本体筐体ＢＸＲ内には、主電源装置ＰＷＵと、ホッパ装置ＨＰと、ホッパ装置ＨＰから溢れた遊技用メダルを収容するための補助ホッパ装置ＳＨＰと、前面パネル筐体ＢＸＬ側のリール表示窓ＦＷに対向する３個の回胴リールＲ１、Ｒ２、Ｒ３と、主制御基板（図示せず）を収納した主基板ケースＭＢＣが設けられている。主制御基板には、ＲＯＭなどの電子部品が実装され、スロットマシンＳＭの主な動作を制御している。
【００１９】
一方、前面パネル筐体ＢＸＬ内の上部パネルＵＰＮには、上部パネルベースＵＰＢに、副制御基板（図示せず）を収納した副基板ケースＳＢＣが設けられている。副制御基板には、主制御基板からの信号を受ける電子部品が実装され、演出用スピーカＳＰ１、図１での演出用ランプＬＰなどの演出表示装置を制御している。また、前面パネル筐体ＢＸＬ内には、その中間パネルＭＰＮ側に、回胴リールＲ１、Ｒ２、Ｒ３が外部から透視できるように開口した表示部ＦＷが設けられ、下部パネルＤＰＮ側に、投入されたメダルをホッパ装置ＨＰに導入する通路Ｇ１、払い出されるメダルを図１に示すメダル払出口ＭＥＸに導くメダル通路Ｇ２、スピーカＳＰ２などが設けられている。
【００２０】
次に、図３および図４に基づき、前面パネル筐体ＢＸＬ内の副基板ケースＳＢＣとその周辺構造について説明する。
【００２１】
図３は、図１および図２のスロットマシンＳＭでの、上部パネルＵＰＮの正面側から見た分解斜視図である。図４は、同じく図１および図２のスロットマシンＳＭでの、副基板ケースＳＢＣの取り付け状態の断面模式図である。
【００２２】
図３で、上部パネルＵＰＮの上部パネルベースＵＰＢの背面には副基板ケースＳＢＣが取り付けられている。副基板ケースＳＢＣは、遊技に関する電子部品を実装した副制御基板１３が収納されたケース本体１１と、このケース本体１１に取り付けられるケースカバー１２とからなっている。上部パネルベースＵＰＢとデザインパネル２５間には照明ランプ３０が配設され、この照明ランプ３０は、プリント配線３３で照明基板３１上に実装された照明ランプ３２から構成されている。上部パネルベースＵＰＢとケース本体１１と照明基板３１は、同じ位置に締付ねじ１５の各挿通孔２１ａ、１１ａ、３０ａが設けられ、副制御基板１３は、上部パネルベースＵＰＢとケース本体１１と照明基板３１の各挿通孔２１ａ、１１ａ、３０ａと同じ位置に、（株）マックエイト社製の鍔を持つスルーホールナット１３ａが一体的に設けられている。また、ケース本体１１には、ヒンジ部１１ｅとフック部１１ｆが形成され、ケースカバー１２には、ケース本体１１のヒンジ部１１ｅと係合してケースカバー１２を回動できるようにするヒンジ部１２ｅと、ケース本体１１のフック部１１ｆと係合して覆った後に引っ掛ける突起部１２ｆが形成されている。
【００２３】
そして、上部パネルベースＵＰＢの背面にケース本体１１が仮止めまたは固定（何れも図示せず）され、またケース本体１１に副制御基板１３が仮止めまたは固定（何れも図示せず）され、また上部パネルベースＵＰＢの前面に照明基板３１が仮止めまたは固定（何れも図示せず）された後、締付ねじ１５が、前面側から照明基板３１と上部パネルベースＵＰＢとケース本体１１の各挿通孔３１ａ、２１ａ、１１ａに挿通され、制御基板１３の雌ねじ１３ａと螺合、緊結され、ケース本体１１が、照明基板３１と制御基板１３と共に上部パネルベースＵＰＢに取り付けられている。締付ねじ１５は、導電性の材料からなり、照明基板３１上のプリント配線３３と、副基板ケースＳＢＣ内の副制御基板１３まで連設した電力供給手段（図示せず）と、電気的に接続している。そして、上部パネルベースＵＰＢの背面にケース本体１１が取り付けられた後、照明ランプ３０の前面側の部品が取り付けられている。ケース本体１１がケースカバー１２で覆われた後、締付ねじ１６で固定され、さらに特殊キャップ１７で封印されている。なお、図３で、２３ａ、２４ａは別の照明基板、２３ｂ、２４ｂは飾りレンズである。
【００２４】
上述のように、ケース本体１１が、副制御基板１３ごと、上部パネルベースＵＰＢの前面側から取り付けられていると共に、照明ランプ３０は締付ねじ１５を用いて上部パネルベースＵＰＢを挟み副制御基板１３に固定されることによって副基板ケースＳＢＣと照明ランプ３０が固定される。また、締付ねじ１５を導電性を有する材料から形成し、照明基板３１上のプリント配線３３と副制御基板１３における電力供給手段と電気的に接続しているので、ハーネスなしで電気的接続することができ、ハーネスを接続するための時間が低減できていると共に、ハーネスの挿通孔を設ける必要が無いので、前記挿通孔を利用した不正行為を防ぐことができる。
【産業上の利用可能性】
【００２５】
以上の実施の形態においては、スロットマシンＳＭについて説明したが、本発明はこれに限定されず、パチンコ機ほかの遊技機、電気料金などのメータ機器その他、本発明の主旨の範囲で適用することが可能である。また、基板ケースも副基板ケースに限らず、主基板ケースも、本発明の主旨の範囲で適用することが可能である。
【図面の簡単な説明】
【００２６】
【図１】実施の形態の一例のスロットマシンＳＭの外部構造を示す斜視図である。
【図２】図１のスロットマシンＳＭの内部構造を示す斜視図である。
【図３】図１および図２のスロットマシンＳＭでの、副基板ケースＳＢＣの取り付け状態の、前面パネル筐体正面側から見た斜視図である。
【図４】図１および図２のスロットマシンＳＭでの、副基板ケースＳＢＣの取り付け状態の断面模式図である。
【符号の説明】
【００２７】
ＢＥＴ：ベットボタン
ＢＸＲ：本体筐体
ＢＸＬ：前面パネル筐体
ＤＰＬ：表示部
ＤＰＮ：下部パネル
ＦＷ：リール表示窓
Ｇ１：通路
ＨＰ：ホッパ装置
ＬＰ：演出用ランプ
ＭＢＣ：主基板ケース
ＭＤ：メダル投入口
ＭＤＰ：中央表示部
ＭＥＸ：メダル払出口
ＭＰＮ：中間パネル
ＰＷＵ：主電源装置
Ｒ１、Ｒ２、Ｒ３：回胴リール
ＳＢＣ：副基板ケース
ＳＨＰ：補助ホッパ装置
ＳＬ：スタートレバー
ＳＭ：スロットマシン
ＳＰ１：スピーカ
ＳＰ２：スピーカ
ＳＴＰ：ストップボタン
ＴＢ：操作卓
ＴＵ：受皿
ＵＰＢ：上部パネルベース
ＵＰＮ：上部パネル
１１：ケース本体
１１ａ：挿通孔
１２：ケースカバー
１２ａ：挿通孔
１３：副制御基板
１３ａ：雌ねじ（スルーホール雌ねじ）
１３ｂ：鍔
１５：締付ねじ
１６：締付ねじ
１７：特殊キャップ
２１：上部パネルベース
２１ａ：挿通孔
２５：デザインパネル
３０：照明ランプ
３１：照明基板
３１ａ：挿通孔
３２：照明ランプ
３３：プリント配線
３５：配線
【図１】
2007267885.tif 000003
【図２】
2007267885.tif 000004
【図３】
2007267885.tif 000005
【図４】
2007267885.tif 000006